(57)【特許請求の範囲】
【請求項１】
投写テレビジョン装置におけるコンバーゼンスの補正のために複数の電力増幅器（３〜８）に給電するための回路であって、
共通の調整される給電ユニット（１）を有し、前記給電ユニット（１）は前記複数の増幅器（３〜８）の各給電用端子に正の動作電圧（＋ＵＢ）及び負の動作電圧（−ＵＢ）を供給し、
さらに前記複数の増幅器（３〜８）の出力側が、赤、緑及び青に対する水平方向の及び垂直方向のコンバーゼンスのための複数の補正コイル（１０〜１５）の各コイルの一方の端部にそれぞれ接続されており、前記複数の補正コイル（１０〜１５）の各コイルのもう一方の端部はアースにそれぞれ接続されている、投写テレビジョン装置におけるコンバーゼンスの補正のために複数の電力増幅器（３〜８）に給電するための回路において、
前記給電ユニット（１）のための調整電圧を発生するために、前記複数の増幅器（３〜８）の出力側は、それぞれ同じ極性の第１のダイオード（１６、１８、２０、２２、２４、２６）を介して第１の共通の接続点（Ｐ１）に接続されており、
さらに、前記増幅器（３〜８）の出力側は、それぞれ前記第１のダイオードに対して正反対の極性を持つ第２のダイオード（１７、１９、２１、２３、２５、２７）を介して第２の接続点（Ｐ２）に接続されており、該第２の接続点（Ｐ２）は、インバータ（２８）を介して前記第１の共通の接続点（Ｐ１）に接続され、
該第１の共通の接続点（Ｐ１）は、前記給電ユニット（１）の調整入力側（２９）に接続されており、
前記給電ユニット（１）の出力電圧値（＋ＵＢ，−ＵＢ）は連続的に、如何なる時点でもその各時点において、最も大きな振幅（Ａ＋Ｂ）を有する出力信号（Ｓ）を有する増幅器に対して十分に高いように、前記調整電圧に応答して調整される、
ことを特徴とする回路。
【発明の詳細な説明】
【０００１】
【発明の属する技術分野】
本発明は、投写テレビジョン装置におけるコンバーゼンスの補正のために複数の電力増幅器に給電するための回路であって、共通の調整される給電ユニットを有し、この給電ユニットの出力側は、増幅器の給電用端子に接続されており、さらに増幅器の出力側がそれぞれ赤、緑及び青に対する水平方向の及び垂直方向のコンバーゼンスのための補正コイルのうちの１つのコイルの一方の端部に接続されており、補正コイルはそれらのもう一方の端部によってアースに接続されている、投写テレビジョン装置におけるコンバーゼンスの補正のために複数の電力増幅器に給電するための回路に関する。このような回路は、例えば投写テレビジョン装置において、それぞれ水平方向及び垂直方向に赤、緑および青の色に対するコンバーゼンスのための補正コイルを制御するための６つの増幅器に動作電圧を給電するために使用される。この回路は、オーディオ装置において、複数の低周波オーディオ増幅器に動作電圧を給電するためにも使用することができる。
【０００２】
【従来の技術】
例えば、コンバーゼンスの場合のように、高い周波数応答が必要とされ、全ての増幅器が同時に完全にレベル制御される（最大レベルで動作される）場合に備えて給電ユニットを設計しなければならない場合、複数の電力増幅器に給電するためのこのような回路は概して相当なコストを必要とする。給電ユニットによって発生される動作電圧が概して安定化されていることによって、給電ユニット及び増幅器において相当な損失電力が発生する。
【０００３】
【発明が解決しようとする課題】
本発明の課題は、上記のような回路において、給電ユニットのための回路コストならびに給電ユニット及び増幅器における損失電力を低減することである。
【０００４】
【課題を解決するための手段】
上記課題は、給電ユニットの出力電圧は、目下最も大きな振幅を有する出力信号を有する増幅器に対してどの瞬間でも十分に高いように調整され、
調整電圧を発生するために、増幅器の出力側は、それぞれ同じ極性の第１のダイオードを介して第１の共通の接続点に接続されており、この第１の接続点は、給電ユニットの調整入力側に接続されており、
さらに、増幅器の出力側は、それぞれ第１のダイオードに対して正反対の極性を持つ第２のダイオードを介して第２の接続点に接続されており、この第２の接続点は、インバータを介して第１の接続点に接続されていることよって解決される。
【０００５】
【発明の実施の形態】
従って、本発明では、給電ユニットの出力電圧は、目下最も大きな振幅を有する出力信号を有する増幅器に対してどの瞬間でも十分に高いように調整される。
【０００６】
本発明は次の考察及び認識に基づいている。すなわち、上述した種類の複数の増幅器のための給電回路においては、例えば投写テレビジョン装置におけるコンバーゼンスのための、信号による増幅器のそれぞれの制御（増幅器の個々の動作レベル）は非常に異なっており、各増幅器では実際には零制御から最大値制御まで変動する。従って、増幅器のうちのどの増幅器で出力信号がそれぞれの瞬間に最大振幅を有するか、をまず検出することが有利である。そして、この振幅に依存して、給電ユニットの出力電圧（この出力電圧は動作電圧として全増幅器に並列に供給される）がこの増幅器に対してちょうど十分であるように調整される。この結果、給電ユニットから供給された動作電圧は、どの瞬間でも、最大にレベル制御された増幅器の出力側の出力信号の実際の振幅に適応する。そして、他の全ての増幅器も必然的に十分な動作電圧を供給される。というのも、これらの増幅器では信号の振幅はより小さいからである。給電ユニットによって発生された動作電圧を最大の出力振幅を有する増幅器の実際の制御に適応させることによって、給電ユニットでも増幅器でも損失電力が低減される。
【０００７】
有利には、全増幅器の出力信号が、最大の振幅を有する出力信号にだけ応答する回路に印加される。そして、この出力信号から調整電圧が導出され、給電ユニットの調整入力側に供給される。
【０００８】
実際に試験済みの回路においては、増幅器の出力側は、同じ極性の第１のダイオードを介して第１の共通の接続点に接続されており、この接続点は、給電ユニットの調整入力側に接続されている。この場合有利には、増幅器の出力電圧の正および負の半波を評価するために、増幅器の出力側が、付加的に、第１のダイオードに対して正反対の極性を持つ第２のダイオードを介して第２の接続点に接続されている。この第２の接続点は、インバータを介して第１の接続点に接続されている。
【０００９】
有利には、給電ユニットは、プッシュプル方式で動作する個々の増幅器に対して、正の動作電圧及び同じ大きさの負の動作電圧を供給する。これらの動作電圧は、有利には同じ大きさであり、信号の振幅に依存して常に同じ値に調整される。
【００１０】
本発明の改良実施例によれば、互いに正反対の極性を有する両方の動作電圧は、２つの別個の給電ユニットで発生され、相互に依存せずに調整され、その結果もはや同じ大きさの振幅を持たない。有利には、正の動作電圧は信号の正の半波に依存して調整され、負の動作電圧は信号の負の半波に依存して調整される。
【００１１】
本発明の有利な改良実施例は従属請求項に記述されている。
【００１２】
【実施例】
本発明を次に図に基づいて説明する。
【００１３】
図１では給電ユニット１は電源電圧ＵＢを供給する端子に接続されている。給電ユニット１は、２つの正反対の極性の同じ大きさの動作電圧＋ＵＢ、−ＵＢを発生する。これらの動作電圧＋ＵＢ、−ＵＢは、並列に６つの増幅器３〜８の動作電圧入力側に印加される。これらの６つの増幅器３〜８の出力側は補正コイル１０〜１５に接続されている。補正コイル１０〜１５は、投写テレビジョン装置において、水平方向及び垂直方向に赤、緑そして青の色に対するコンバーゼンスを補正するために使用される。このために増幅器３〜８には発生器９から相応の補正信号が供給される。以上に説明した回路は公知のものである。
【００１４】
増幅器３〜８の出力側はダイオード１６、１８、２０、２２、２４、２６を介して接続点Ｐ１に接続されている。この接続点Ｐ１は、給電ユニット１の調整入力側２９に接続されている。増幅器３〜８の出力側は、そのほかに、正反対の極性のダイオード１７、１９、２１、２３、２５、２７を介して接続点Ｐ２に接続されている。この接続点Ｐ２は、インバータ２８及びダイオード３０を介して接続点Ｐ１に接続されている。
【００１５】
図２に基づいて動作方法を説明する。増幅器８の信号Ｓが最大振幅を有すると仮定する。従って、増幅器３〜７の出力電圧はより小さい振幅を有する。振幅Ａを有する正の半波によってダイオード２６が導通制御される。この結果、この半波が接続点Ｐ１に供給される。このことによって、必然的にダイオード１６、１８、２０、２２、２４は遮断される。というのも、増幅器３〜７の出力電圧の振幅はより小さいからである。振幅Ｂを有する負の半波によってダイオード２７が導通制御され、相応にダイオード１７、１９、２１、２３、２５が遮断される。振幅Ｂを有する半波は、インバータ２８で極性を反転させられ、同じ極性となって、振幅Ａを有する半波に接続点Ｐ１で加算される。よって、調整入力側２９の入力信号は増幅器８の出力信号の振幅の尺度である。この振幅に依存して、動作電圧＋ＵＢ、−ＵＢは、増幅器８の出力信号Ｓの振幅にちょうど十分な値に調整される。このことによって、動作電圧＋ＵＢ、−ＵＢは増幅器３〜７に対しても十分大きな値となる。なぜなら、これらの増幅器の信号は増幅器８の信号よりも小さい振幅を有するからである。
【００１６】
図２によれば、動作電圧＋ＵＢ、−ＵＢの振幅は、連続的にアナログ的に振幅Ａ＋Ｂに依存している。動作電圧＋ＵＢ、−ＵＢの振幅は、信号Ｓの振幅にステップ状に依存してもよい。例えば、異なる振幅の複数の様々な動作電圧を信号Ｓの振幅に従って増幅器３〜８に供給することができる。
【００１７】
これまでは図２の両方の動作電圧＋ＵＢ、−ＵＢは、信号Ａ＋Ｂのあらゆる値において同じ振幅を有している、と仮定してきた。しかし、両方の動作電圧＋ＵＢ、−ＵＢを別個の給電ユニットで発生し、動作電圧＋ＵＢの大きさを信号Ｓの正の振幅Ａに依存して調整し、負の動作電圧−ＵＢを信号Ｓの負の半波の振幅Ｂに依存して調整することも可能である。このことによって、信号の実際の振幅に動作電圧がさらに良く適応させられ、さらなる電力節約が行われる。
【図面の簡単な説明】
【図１】本発明の実施例の回路図である。
【図２】給電ユニットによって発生された動作電圧が増幅器の出力側における信号のそれぞれの振幅に依存する様子を原理的に示した線図である。
【符号の説明】
１  給電ユニット
２  端子
３〜８  増幅器
９  補正信号発生器
１０〜１５  補正コイル
１６〜２７  ダイオード
２８  インバータ
２９  調整入力側
３０  ダイオード
【図１】
0003990473.tif 000002
【図２】
0003990473.tif 000003